(57)【要約】【課題】例えば、フロントライトから出射されや光を液晶装置等の電気光学パネルで変調し、複数の画素相互において均一な輝度で画像を表示する。【解決手段】低抵抗配線層（２７１）及び（２７２）の夫々は、光出射領域（２２０ａ）の周辺領域に形成され、且つ、第２陽極配線（２６１ｂ）及び第２陰極配線（２６２ｂ）の夫々に重なっている。加えて、低抵抗配線層（２７１）及び（２７２）の夫々は、光出射領域（２２０ａ）の周辺領域において第２陽極配線（２６１ｂ）及び第２陰極配線（２６２ｂ）の夫々と相互に異なる層に形成されており、第２陽極配線（２６１ｂ）及び第２陰極配線（２６２ｂ）の夫々を構成する材料より低い電気抵抗を有する材料で構成されている。【選択図】図３
2010238497.tif 000002
【特許請求の範囲】
【請求項１】
光を変調し、且つ該変調された光を画像表示側に反射する電気光学パネルから見て前記画像表示側に配置され、前記電気光学パネルに前記光を出射する照明装置であって、
基板と、
前記基板上の光出射領域に形成された複数の発光素子と、
前記基板上の光出射領域、及び、前記光出射領域の周辺領域に渡って形成され、且つ前記複数の発光素子に電気的に接続された透明配線層と、
前記周辺領域において前記透明配線層と相互に異なる層に形成されており、前記透明配線層を構成する材料より低い電気抵抗を有する材料で構成され、且つ電源に電気的に接続された低抵抗配線層とを備え、
前記周辺領域において、前記透明配線層の下面及び前記低抵抗配線層の上面が相互に接していること
を特徴とする照明装置。
【請求項２】
前記低抵抗配線層は、前記基板上の少なくとも一方向に沿って対称な平面形状を有しており、前記周辺領域において、前記少なくとも一方向に沿って相互に対称な位置に設けられ、且つ前記電源に電気的に接続された複数の端子部に電気的に接続されていること
を特徴とする請求項１に記載の照明装置。
【請求項３】
前記透明配線層は、前記光出射領域に形成された第１透明配線層と、前記周辺領域に形成された第２透明配線層とを有しており、
前記第２透明配線層は、前記周辺領域において前記低抵抗配線層を覆っており、
前記低抵抗配線層の縁のうち前記光出射領域から遠い側の縁は、前記第２透明配線層の縁のうち前記光出射領域から遠い側の縁より前記光出射領域側に位置しており、前記低抵抗配線層の縁のうち前記光出射領域に近い側に位置する縁は、前記第２透明配線層の縁のうち前記光出射領域に近い側の縁より外側に位置しており、前記低抵抗配線層の縁のうち前記光出射領域に近い側に位置する縁が、前記第２透明配線層の縁のうち前記光出射領域に近い側の縁より外側に位置する幅は、前記第２透明配線層の縁のうち前記光出射領域から遠い側の縁が、前記低抵抗配線層の縁のうち前記光出射領域から遠い側の縁より外側に位置する幅より大きいこと
を特徴とする請求項１又は２に記載の照明装置。
【請求項４】
光を変調し、且つ該変調された光を画像表示側に反射する電気光学パネルから見て前記画像表示側に配置され、前記電気光学パネルに前記光を出射する照明装置であって、
基板と、
前記基板上の光出射領域に形成された複数の発光素子と、
前記基板上の光出射領域に形成され、且つ前記複数の発光素子に電気的に接続された透明配線層と、
前記周辺領域に形成されており、前記透明配線層を構成する材料より低い電気抵抗を有する材料で構成され、且つ前記透明配線層及び電源に電気的に接続された低抵抗配線層と
を備えたことを特徴とする照明装置。
【請求項５】
遮光層をさらに備え、
前記遮光層は、平面視で前記発光素子と重なるように形成されていること
を特徴とする請求項４に記載の照明装置。
【請求項６】
（ｉ）基板と、（ｉｉ）前記基板上の光出射領域に形成された複数の発光素子と、（ｉｉｉ）前記基板上の光出射領域、及び、前記光出射領域の周辺領域に渡って形成され、且つ前記複数の発光素子に電気的に接続された透明配線層と、（ｉｖ）前記周辺領域において前記透明配線層と相互に異なる層に形成されており、前記透明配線層を構成する材料より低い電気抵抗を有する材料で構成され、且つ電源に電気的に接続された低抵抗配線層とを備え、前記周辺領域において、前記透明配線層の下面及び前記低抵抗配線層の上面が相互に接している照明装置と、
前記光出射領域から出射された光を変調し、該変調された光を前記照明装置に向かって反射する電気光学パネルと
を備えたことを特徴とする電気光学装置。
【請求項７】
遮光層をさらに備え、
前記遮光層は、平面視で前記発光素子と重なるように形成されていること
を特徴とする請求項６に記載の電気光学装置。
【請求項８】
（ｉ）基板と、（ｉｉ）前記基板上の光出射領域に形成された複数の発光素子と、（ｉｉｉ）前記基板上の光出射領域に形成され、且つ前記複数の発光素子に電気的に接続された透明配線層と、（ｉｖ）前記周辺領域に形成されており、前記透明配線層を構成する材料より低い電気抵抗を有する材料で構成され、且つ前記透明配線層及び電源に電気的に接続された低抵抗配線層とを備えた照明装置と、
前記光出射領域から出射された光を変調し、該変調された光を前記照明装置に向かって反射する電気光学パネルと
を備えたことを特徴とする電気光学装置。
【請求項９】
請求項６から請求項８のいずれかに記載の電気光学装置を具備してなること
を特徴とする電子機器。
【発明の詳細な説明】
【技術分野】
【０００１】
本発明は、例えば、反射型液晶装置等の光源として用いられるフロントライト等の照明装置、及びこのような照明装置を光源とする液晶装置等の電気光学装置、並びに、電気光学装置を具備してなる携帯電話等の電子機器の技術分野に関する。
【背景技術】
【０００２】
この種の電気光学装置では、発光ダイオード等の複数の発光素子がマトリクス状に配列された光源として機能するフロントライト等の照明装置から液晶装置等の電気光学パネルに光が出射される。発光素子は、フロントライトに設けられた端子部と、当該端子部に電気的に接続され、且つＩＴＯ等の透明導電材料から構成された配線部とを介して供給された電源によって駆動される。特許文献１は、フロントライトから出射される光の光取り出し効率を高めることが可能な技術の一例を開示している。
【先行技術文献】
【特許文献】
【０００３】
【特許文献１】特開２００８−７７８６５号公報
【発明の概要】
【発明が解決しようとする課題】
【０００４】
しかしながら、複数の発光素子の夫々と、端子部とを相互に電気的に接続する配線部は、発光素子から出射された光を遮らないようにＩＴＯ等の透明導電材料で構成されているため、アルミニウム或いは銅等の不透明な導電材料に比べて、相対的に電気抵抗が大きい。より具体的には、例えば、ＩＴＯ等の配線部のシート抵抗は、１０Ω／□であり、金属材料の１００倍近くにもなる。より具体的には、電気抵抗が大きい透明な配線部が延びる方向に沿って当該配線部の電気抵抗が大きくなる。したがって、端子部から遠い位置に配置された発光素子ほど端子部から供給された電圧に関して電圧降下が大きくなり、配線部が延びる方向に沿って発光素子の発光量に差が生じてしまうため、フロントライトの光出射領域に輝度むらが発生してしまう。フロントライトの光出射領域に輝度むらが発生した場合、フロントライトから出射される光を変調し、該変調した光によって画像を表示する電気光学装置では、画像を表示する画像表示領域に輝度むらが発生し、表示性能を高めることが困難になるという技術的な問題点がある。
【０００５】
よって、本発明は上記問題点等に鑑みてなされたものであり、例えば、フロントライトから出射された光を液晶装置等の電気光学パネルで変調し、複数の画素相互において均一な輝度で画像を表示可能な電気光学装置、及びそのような電気光学装置を具備してなる電子機器を提供することを課題とする。
【課題を解決するための手段】
【０００６】
本発明の第１の発明に係る照明装置は上記課題を解決するために、光を変調し、且つ該変調された光を画像表示側に反射する電気光学パネルから見て前記画像表示側に配置され、前記電気光学パネルに前記光を出射する照明装置であって、基板と、前記基板上の光出射領域に形成された複数の発光素子と、前記基板上の光出射領域、及び、前記光出射領域の周辺領域に渡って形成され、且つ前記複数の発光素子に電気的に接続された透明配線層と、前記周辺領域において前記透明配線層と相互に異なる層に形成されており、前記透明配線層を構成する材料より低い電気抵抗を有する材料で構成され、且つ電源に電気的に接続された低抵抗配線層とを備え、前記周辺領域において、前記透明配線層の下面及び前記低抵抗配線層の上面が相互に接している。
【０００７】
本発明に係る照明装置によれば、複数の発光素子は、例えば、有機ＥＬ素子等の電流駆動型の自発光素子であり、前記基板上に光出射領域に形成されている。ここで、「光出射領域」とは、当該照明装置から出射された光を変調し、且つ該変調された光を画像表示側に反射する電気光学パネルに対して光が出射される領域であり、当該照明装置が、電気光学パネルと共に電気光学装置を構成した際に、電気光学装置の画像表示領域に重なる領域である。
【０００８】
透明配線層は、例えば、ＩＴＯ（Indium Tin Oxide）或いは酸化インジウム亜鉛等の透明導電材料から構成されており、前記基板上の光出射領域、及び、前記光出射領域の周辺領域に渡って形成され、且つ前記複数の発光素子に電気的に接続されている。よって、照明装置によれば、電気光学パネルによって変調された後、照明装置の光出射領域に向かって反射された反射光が当該照明装置を透過可能である。
【０００９】
低抵抗配線層は、前記周辺領域において前記透明配線層と相互に異なる層に形成されており、前記透明配線層を構成する材料より低い電気抵抗を有する材料で構成され、且つ電源に電気的に接続されている。加えて、前記周辺領域において、前記透明配線層の下面及び前記低抵抗配線層の上面が相互に接している。
【００１０】
よって、本発明に係る照明装置によれば、周辺領域において透明配線層のみに電源が電気的に接続されている場合に比べて、周辺領域における電圧降下を低減できる。加えて、透明配線層及び低抵抗配線層が端子部、或いはコンタクトホール等の点状の接続手段によって電気的に相互に接続されているのではなく、前記透明配線層の下面及び前記低抵抗配線層の上面が一定の面状領域で相互に電気的に接続されているため、透明配線層及び低抵抗配線層を点状の接続手段によって電気的に相互に接続する場合に比べて、周辺領域における電圧降下を抑制できる。
【００１１】
よって、本発明に係る照明装置によれば、複数の発光素子の夫々に供給される電流のばらつきが生じないため、光出射領域から電気光学パネルに一様な光強度で光を出射可能であり、照明装置を光源として画像を表示する電気光学装置の画像表示領域における輝度ばらつきを低減可能である。
【００１２】
本発明の第１の発明に係る電気光学装置の一の態様では、記低抵抗配線層は、前記基板上の少なくとも一方向に沿って対称な平面形状を有しており、前記周辺領域において、前記少なくとも一方向に沿って相互に対称な位置に設けられ、且つ前記電源に電気的に接続された複数の端子部に電気的に接続されていてもよい。
【００１３】
この態様によれば、光出射領域に形成された複数の発光素子の夫々の形成位置に関係なく、光出射領域における輝度むら及び最終的に表示される画像内の輝度むらを低減可能である。
【００１４】
本発明の第１の発明に係る電気光学装置の他の態様では、前記透明配線層は、前記光出射領域に形成された第１透明配線層と、前記周辺領域に形成された第２透明配線層とを有しており、前記第２透明配線層は、前記周辺領域において前記低抵抗配線層を覆っており、前記低抵抗配線層の縁のうち前記光出射領域から遠い側の縁は、前記第２透明配線層の縁のうち前記光出射領域から遠い側の縁より前記光出射領域側に位置しており、前記低抵抗配線層の縁のうち前記光出射領域に近い側に位置する縁は、前記第２透明配線層の縁のうち前記光出射領域に近い側の縁より外側に位置しており、前記低抵抗配線層の縁のうち前記光出射領域に近い側に位置する縁が、前記第２透明配線層の縁のうち前記光出射領域に近い側の縁より外側に位置する幅は、前記第２透明配線層の縁のうち前記光出射領域から遠い側の縁が、前記低抵抗配線層の縁のうち前記光出射領域から遠い側の縁より外側に位置する幅より大きくてもよい。
【００１５】
この態様によれば、透明配線層を所定の平面形状にパターニングすることを目的として、ウェットエッチング処理を施した場合でも、金属材料等で構成された低抵抗配線層がエッチングされることを防止できる。加えて、光出射領域を透過する光が低抵抗配線層によって遮られることを低減できる。
【００１６】
本発明の第２の発明に係る照明装置は上記課題を解決するために、光を変調し、且つ該変調された光を画像表示側に反射する電気光学パネルから見て前記画像表示側に配置され、前記電気光学パネルに前記光を出射する照明装置であって、基板と、前記基板上の光出射領域に形成された複数の発光素子と、前記基板上の光出射領域に形成され、且つ前記複数の発光素子に電気的に接続された透明配線層と、前記周辺領域に形成されており、前記透明配線層を構成する材料より低い電気抵抗を有する材料で構成され、且つ前記透明配線層及び電源に電気的に接続された低抵抗配線層とを備えている。
【００１７】
本発明に係る照明装置によれば、上述の照明装置と同様に、周辺領域において透明配線層のみに電源が電気的に接続されている場合に比べて、周辺領域における電圧降下を低減できるため、複数の発光素子の夫々に供給される電流のばらつきを低減できる。よって、本発明に係る照明装置によれば、光出射領域から電気光学パネルに一様な光強度で光を出射可能であり、照明装置を光源として画像を表示する電気光学装置の画像表示領域における輝度ばらつきを低減可能である。
【００１８】
本発明の第２の発明に係る照明装置の一の態様では、遮光層をさらに備え、前記遮光層は、平面視で前記発光素子と重なるように形成されていてもよい。
【００１９】
この態様によれば、発光素子から直接表示面に光が出射されることを低減でき、表示面に表示されるべき画像の黒レベルの低下を抑制できる。加えて、発光素子の上側の電極で外光が反射されることを低減できる。
【００２０】
本発明の第３の発明に係る電気光学装置は上記課題を解決するために、（ｉ）基板と、（ｉｉ）前記基板上の光出射領域に形成された複数の発光素子と、（ｉｉｉ）前記基板上の光出射領域、及び、前記光出射領域の周辺領域に渡って形成され、且つ前記複数の発光素子に電気的に接続された透明配線層と、（ｉｖ）前記周辺領域において前記透明配線層と相互に異なる層に形成されており、前記透明配線層を構成する材料より低い電気抵抗を有する材料で構成され、且つ電源に電気的に接続された低抵抗配線層とを備え、前記周辺領域において、前記透明配線層の下面及び前記低抵抗配線層の上面が相互に接している照明装置と、前記光出射領域から出射された光を変調し、該変調された光を前記照明装置に向かって反射する電気光学パネルとを備えている。
【００２１】
本発明に係る電気光学装置は、上述の第１の発明に係る照明装置を光源として備えているため、複数の発光素子の夫々に供給される電流のばらつきを低減でき、照明装置を光源として画像を表示する電気光学装置の画像表示領域における輝度ばらつきを低減可能である。
【００２２】
本発明の第３の発明に係る電気光学装置の一の態様では、遮光層をさらに備え、前記遮光層は、平面視で前記発光素子と重なるように形成されていてもよい。
【００２３】
この態様によれば、発光素子から直接表示面に光が出射されることを低減でき、表示面に表示されるべき画像の黒レベルの低下を抑制できる。加えて、発光素子の上側の電極で外光が反射されることを低減できる。
【００２４】
本発明の第４の発明に係る電気光学装置は上記課題を解決するために、（ｉ）基板と、（ｉｉ）前記基板上の光出射領域に形成された複数の発光素子と、（ｉｉｉ）前記基板上の光出射領域に形成され、且つ前記複数の発光素子に電気的に接続された透明配線層と、（ｉｖ）前記周辺領域に形成されており、前記透明配線層を構成する材料より低い電気抵抗を有する材料で構成され、且つ前記透明配線層及び電源に電気的に接続された低抵抗配線層とを備えた照明装置と、前記光出射領域から出射された光を変調し、該変調された光を前記照明装置に向かって反射する電気光学パネルとを備えている。
【００２５】
本発明に係る電気光学装置は、上述の第２の発明に係る照明装置を光源として備えているため、複数の発光素子の夫々に供給される電流のばらつきを低減でき、照明装置を光源として画像を表示する電気光学装置の画像表示領域における輝度ばらつきを低減可能である。
【００２６】
本発明の第５の発明に係る電子機器は上記課題を解決するために、上述の電気光学装置を具備してなる。
【００２７】
本発明に係る電子機器によれば、高品位の画像を表示可能な携帯電話、モバイルノードパーソナルコンピュータ、デジタルカメラ、ビデオカメラ、カムコーダ等の電子機器を提供できる。
【００２８】
本発明のこのような作用及び他の利得は次に説明する実施形態から明らかにされる。
【図面の簡単な説明】
【００２９】
【図１】本発明の第１の発明の一実施形態である液晶装置の平面図である。
【図２】図１のＩＩ−ＩＩ´断面図である。
【図３】本発明の第１の発明の一実施形態である液晶装置が備えるフロントライトの概略構造を図式的に示した平面図である。
【図４】本発明の第１の発明の一実施形態である液晶装置が備えるフロントライトの一部の構造を図式的に示した部分平面図である。
【図５】図４のＶ−Ｖ´断面図である。
【図６】図３のＶＩ−ＶＩ´断面図である。
【図７】本実施形態に係るフロントライトの比較例における透明配線層及び低抵抗配線層の夫々の電気的な接続状態を示した回路図である。
【図８】本実施形態に係るフロントライトにおける透明配線層及び低抵抗配線層の夫々の電気的な接続状態を示した回路図である。
【図９】本発明の第２の発明の一実施形態である液晶装置が備えるフロントライトの概略構造を図式的に示した平面図である。
【図１０】本実施形態に係る電子機器の一例であるコンピュータの斜視図である。
【図１１】本実施形態に係る電子機器の一例である携帯電話の斜視図である。
【発明を実施するための形態】
【００３０】
＜第１実施形態＞
先ず、図１乃至図７を参照しながら、本発明の第１の発明に係る照明装置の一実施形態であるフロントライト２００、及び、本発明の第３の発明に係る電気光学装置の一実施形態である液晶装置１を説明する。
【００３１】
＜１−１：液晶装置の全体構成＞
図１及び図２を参照しながら、液晶装置１の全体構成を説明する。図１は、液晶装置１が画像を表示する表示面２００Ｂ側から液晶装置１を見た液晶装置１の平面図である。図２は、図１のＩＩ−ＩＩ´断面図である。
【００３２】
図１及び図２において、液晶装置１は、第１の発明及び第３の発明の夫々における「照明装置」の一例であるフロントライト２００と、第１の発明及び第３の発明の夫々における「電気光学パネル」の一例である液晶パネル１００と、偏光板６０とを備えている。
【００３３】
フロントライト２００は、第１基板２１０と、本発明の「基板」の一例である第２基板２２０と、図中下側である第２基板２２０上に形成された複数の有機ＥＬ素子２５０と、複数の有機ＥＬ素子２５０に対応して設けられた複数の開口部Ｐと、複数の開口部Ｐに対応して設けられた複数の透過部Ｔと、中間層２４０と、遮光膜２６４とを備えている。複数の透過部Ｔの夫々が、画像を表示する表示面２００Ｂ上の画像表示領域を構成する複数の画素に対応している。また、複数の有機ＥＬ素子２５０が、第１の発明及び第３の発明の夫々における「複数の発光素子」の一例である。
【００３４】
透過部Ｔは、液晶パネル１００で反射された光を画像表示面２００Ｂに透過させる。このような複数の透過部Ｔは、遮光膜２６４によって規定され、且つ第２基板２２０の画像表示面にマトリクス状に配列されている。画像表示面２００Ｂにおける画像表示領域を構成する複数の画素は、各透過部Ｔに対応して規定されている。
【００３５】
開口部Ｐは、光出射面２００Ａに臨んでおり、有機ＥＬ素子２５０で発生した光のうち液晶パネル１００に出射される出射光の光量を規定する。開口部Ｐから液晶パネル１００に出射された出射光Ｌ１は、反射電極９によって反射される。反射電極９によって反射された反射光Ｌ２は、透過部Ｔを介して画像表示面２００Ｂから出射される。
【００３６】
液晶パネル１００は、液晶層５０と、ＴＦＴ等の素子が形成されたＴＦＴアレイ基板１０と、配向膜１６及び２２と、対向電極２１と、複数のカラーフィルタ２４と、接着層２５と、対向基板２０と、複数の反射電極９とを備えている。
【００３７】
液晶装置１の動作時において、複数の反射電極９の夫々には駆動回路を介して画像信号が供給される。複数の反射電極９及び対向電極２１間の電位差に応じて、液晶層５０に駆動電圧が印加され、液晶層５０のうち各反射電極９に対応する部分の配向状態が制御される。フロントライト２００が有する複数の有機ＥＬ素子２５０の夫々で発生した光のうち各開口部Ｐを介して液晶パネル１００に出射された出射光Ｌ１は、液晶層５０に変調された後、複数の反射電極９によって反射される。複数の反射電極９によって反射された反射光Ｌ２が透過部Ｔを介して表示面２００Ｂから図２中上側に向かって出射されることにより、表示面２００Ｂ側に画像が表示される。
【００３８】
＜１−２：フロントライトの構成＞
次に、図３乃至図８を参照しながら、フロントライト２００の構成を詳細に説明する。図３は、フロントライト２００の概略構造を図式的に示した平面図である。図４は、フロントライト２００の一部の構造を図式的に示した部分平面図である。図５は、図４のＶ−Ｖ´断面図である。図６は、図のＶＩ−ＶＩ´断面図である。図７は、フロントライト２００の比較例における透明配線層及び低抵抗配線層の夫々の電気的な接続状態を示した回路図である。図８は、フロントライト２００における透明配線層及び低抵抗配線層の夫々の電気的な接続状態を示した回路図である。
【００３９】
図３において、フロントライト２００は、第２基板２２０上に、複数の有機ＥＬ素子２５０と、２つの陽極端子２６１Ｐと、陽極配線２６１と、２つの陰極端子２６２Ｐと、陰極配線２６２と、低抵抗配線層２７１及び２７２とを備えている。
【００４０】
複数の有機ＥＬ素子２５０は、第２基板２２０上の光出射領域２２０ａにマトリクス状に配置されている。光出射領域２２０ａは、フロントライト２００の光出射面２００Ａのうち液晶パネル１００に向かって光を出射する領域であり、フロントライト２００の表示面２００Ｂにおける画像表示領域に重なっている。
【００４１】
陽極配線２６１及び陰極配線２６２の夫々は、第２基板２２０上の光出射領域２２０ａ、及び、光出射領域２２０ａの周辺領域に渡って形成され、且つ複数の有機ＥＬ素子２５０に電気的に接続されている。
【００４２】
陽極配線２６１及び陰極配線２６２の夫々は、本発明の「透明配線層」の一例であり、ＩＴＯ或いは酸化インジウム亜鉛等の透明導電材料から構成されている。陽極配線２６１は、光出射領域２２０ａに形成された第１陽極配線２６１ａと、光出射領域２２０ａの周辺領域に形成された第２陽極配線２６１ｂとから構成されている。陰極配線２６２は、光出射領域２２０ａに形成された第１陰極配線２６２ａと、光出射領域２２０ａの周辺領域に形成された第２陰極配線２６２ｂとから構成されている。陽極配線２６１及び陰極配線２６２の夫々によれば、フロントライト２００から液晶パネル１００に出射された光のうち液晶パネル１００によって反射された反射光が当該フロントライト２００を透過可能である。
【００４３】
低抵抗配線層２７１及び２７２の夫々は、光出射領域２２０ａの周辺領域に形成され、且つ、第２陽極配線２６１ｂ及び第２陰極配線２６２ｂの夫々に重なっている。加えて、低抵抗配線層２７１及び２７２の夫々は、光出射領域２２０ａの周辺領域において第２陽極配線２６１ｂ及び第２陰極配線２６２ｂの夫々と相互に異なる層に形成されており、第２陽極配線２６１ｂ及び第２陰極配線２６２ｂの夫々を構成する材料より低い電気抵抗を有する材料で構成されている。更に、低抵抗配線層２７１及び２７２の夫々は、２つの陽極端子２６１Ｐ及び２つの陰極端子２６２Ｐの夫々を介して電源２８０の陽極及び陰極の夫々に電気的に接続されている。
【００４４】
低抵抗配線層２７１及び２７２の夫々は、第２基板２２０上の図中Ｘ方向に沿って対称な平面形状を有しており、光出射領域２２０ａの周辺領域において、Ｘ方向に沿って相互に対称な位置に設けられた２つの陽極端子２６１Ｐ及び２つの陰極端子２６２Ｐの夫々に電気的に接続されている。よって、低抵抗配線層２７１及び２７２の夫々の平面形状と、２つの陽極端子２６１Ｐ及び２つの陰極端子２６２Ｐの夫々の位置とによれば、光出射領域２２０ａに形成された複数の有機ＥＬ素子２５０の夫々の形成位置に関係なく、光出射領域２２０ａにおける輝度むら及び最終的に表示される画像内の輝度むらを低減可能である。
【００４５】
低抵抗配線層２７１及び２７２の夫々は、光出射領域２２０ａの周辺領域において、第２陽極配線２６１ｂ及び第２陰極配線２６２ｂの夫々に覆われている。よって、陽極配線２６１及び陰極配線２６２の夫々を所定の平面形状にパターニングすることを目的として、ウェットエッチング処理を施した場合でも、例えば、金属材料等で構成された低抵抗配線層２７１及び２７２がエッチングされることを防止できる。
【００４６】
次に、図４乃至図６を参照しながら、フロントライト２００の詳細な構造を説明する。
【００４７】
図４及び図５において、フロントライト２００は、第１基板２１０上に順次形成された下地層２８１と、絶縁膜２８２と、ＩＴＯ等の透明導電材料で各々構成された陽極配線２６１及び陰極配線２６２と、絶縁膜２８３及び２８４と、接着層２８５と、遮光膜２６４と、その上に配置された第２基板２２０とを備えている。
【００４８】
有機ＥＬ素子２５０は、コンタクト部２６５及び陰極２６３を介して陰極配線２６２に電気的に接続されている。有機ＥＬ素子２５０は、陽極配線２６１に電気的に接続されている。透過部Ｔは、遮光膜２６４によって規定されている。フロントライト２００の動作時には、開口部Ｐを介して液晶パネル１００に向かって光が出射される。
【００４９】
図６において、光出射領域２２０ａの周辺領域において、第２陰極配線２６２ｂの下面及び低抵抗配線層２７２の上面が相互に接することによって、これら配線が電気的に相互に接続されている。
【００５０】
よって、フロントライト２００によれば、その動作時において、光出射領域２２０ａの周辺領域においてＩＴＯ等の透明導電材料のみから構成される陰極配線２６２のみに電源が電気的に接続されている場合に比べて、光出射領域２２０ａの周辺領域における電圧降下を低減できる。
【００５１】
加えて、フロントライト２００によれば、第２陰極配線２６２ｂ及び低抵抗配線層２７２と同様に、第２陽極配線２６１ｂの下面と、低抵抗配線層２７１の上面とが相互に接することによって、第２陽極配線２６１ｂ及び低抵抗配線層２７１が電気的に相互に接続されている。よって、フロントライト２００によれば、その動作時において、光出射領域２２０ａの周辺領域においてＩＴＯ等の透明導電材料のみから構成される陽極配線２６１のみに電源が電気的に接続されている場合に比べて、光出射領域２２０ａの周辺領域における電圧降下を低減できる。
【００５２】
ここで、図７及び図８を参照しながら、電源２８０から有機ＥＬ素子２５０までの電流経路における電圧降下が抑制されることについて詳細に説明する。
【００５３】
図７に示すように、フロントライト２００の比較例に係るフロントライトにおいて、低抵抗配線層２７１が、２つのコンタクト部によって第２陽極配線２６１ｂに電気的に接続されていると仮定する。ここで、第２陽極配線２６１ｂ、低抵抗配線層２７１、コンタクト部の夫々の電気抵抗を抵抗Ｒ１、Ｒ２及びＲ３とする。この場合、電源から有機ＥＬ素子２５０までの電流経路の合成抵抗ＲＢは、次の式（１）で表わされる。
【００５４】
【数１】
2010238497.tif 000003
【００５５】
また、図８に示すように、フロントライト２００では、低抵抗配線層２７１の上面が、第２陽極配線２６１ｂの下面に接触することによって、これら配線が相互に電気的に接続されている。そこで、２つのコンタクト部ではなく、ｎ個（ｎは２以上の自然数）のコンタクト部で相互に接続されていると仮定する。フロントライト２００において、電源から有機ＥＬ素子２５０までの電流経路の合成抵抗ＲＢは、次の式（２）で表わされる。
【００５６】
【数２】
2010238497.tif 000004
【００５７】
式（１）及び（２）より、合成抵抗ＲＡは合成抵抗ＲＢより低くなる。
【００５８】
したがって、第２陽極配線２６１ｂ及び低抵抗配線層２７１が、コンタクト部等の点状の接続手段によって電気的に相互に接続されているのではなく、一定の面状領域で相互に電気的に接続されているため、第２陽極配線２６１ｂ及び低抵抗配線層２７１を点状の接続手段によって電気的に相互に接続する場合に比べて、光出射領域２２０ａの周辺領域における電気抵抗を低減できる。よって、フロントライト２００の動作時において、光出射領域２２０ａの周辺領域においてＩＴＯ等の透明導電材料のみから構成される陽極配線２６１等のみに電源が電気的に接続されている場合に比べて、光出射領域２２０ａの周辺領域における電圧降下を低減できることに加えて、第２陽極配線２６１ｂ及び低抵抗配線層２７１を点状の接続手段によって電気的に相互に接続する場合に比べて、電圧降下を抑制できる。
【００５９】
よって、フロントライト２００によれば、その動作時において、複数の有機ＥＬ素子２５０の夫々に供給される電流にばらつきが生じないため、光出射領域２２０ａから液晶パネル１００に一様な光強度で光を出射可能であり、フロントライト２００を光源として画像を表示する液晶装置１の画像表示領域における輝度ばらつきを低減可能である。
【００６０】
また、図６に示すように、低抵抗配線層２７２の縁のうち光出射領域２２０ａから遠い側の縁２７２−２は、第２陰極配線２６２ｂの縁のうち光出射領域２２０ａから遠い側の縁２６２ｂ−２より光出射領域２２０ａ側に位置しており、低抵抗配線層２７２の縁のうち光出射領域２２０ａに近い側に位置する縁２７２−１は、第２陰極配線の縁のうち光出射領域２２０ａに近い側の縁２６２ｂ−１より外側に位置しており、低抵抗配線層２７２の縁のうち光出射領域２２０ａに近い側に位置する縁２７２−１が、第２陰極配線２６２ｂの縁のうち光出射領域２２０ａに近い側の縁２６２ｂ−１より外側に位置する幅Ｗ１は、第２陰極配線２６２ｂの縁のうち光出射領域２２０ａから遠い側の縁２６２ｂ−２が、低抵抗配線層２７２の縁のうち光出射領域２２０ａから遠い側の縁２７２−２より外側に位置する幅Ｗ２より大きい。
また、ＶＩ−ＶＩ´断面図にて説明したが、他の２辺においても同様に、低抵抗配線層２の縁のうち光出射領域２２０ａから遠い側の縁２７２−２は、第２陰極配線２６２ｂの縁のうち光出射領域２２０ａから遠い側の縁２６２ｂ−２より光出射領域２２０ａ側に位置しており、低抵抗配線層２７２の縁のうち光出射領域２２０ａに近い側に位置する縁２７２−１は、第２陰極配線の縁のうち光出射領域２２０ａに近い側の縁２６２ｂ−１より外側に位置しており、低抵抗配線層２７２の縁のうち光出射領域２２０ａに近い側に位置する縁２７２−１が、第２陰極配線２６２ｂの縁のうち光出射領域２２０ａに近い側の縁２６２ｂ−１より外側に位置する幅Ｗ１は、第２陰極配線２６２ｂの縁のうち光出射領域２２０ａから遠い側の縁２６２ｂ−２が、低抵抗配線層２７２の縁のうち光出射領域２２０ａから遠い側の縁２７２−２より外側に位置する幅Ｗ２より大きくなっている。また、低抵抗配線２７１及び第２陽極配線２６１ｂにおいても同様に、低抵抗配線層２７１の縁のうち光出射領域２２０ａから遠い側の縁は、第２陽極配線２６１ｂの縁のうち光出射領域２２０ａから遠い側の縁より光出射領域２２０ａ側に位置しており、低抵抗配線２７１の縁のうち光出射領域２２０ａに近い側に位置する縁は、第２陽極配線２６１ｂの縁のうち光出射領域２２０ａに近い側の縁より外側に位置しており、低抵抗配線２７１の縁のうち光出射領域２２０ａに近い側に位置する縁が、第２陽極配線２６１ｂの縁のうち光出射領域２２０ａに近い側の縁より外側に位置する幅は、第２陽極配線２６１ｂの縁のうち光出射領域２２０ａから遠い側の縁が、低抵抗配線２７１の縁のうち光出射領域２２０ａから遠い側の縁より外側に位置する幅より大きくなっている。
【００６１】
よって、組ずれに対してマージンを採りつつ、光出射領域２２０ａを透過する光が組ずれによって低抵抗配線層２７２によって遮られることを低減できる。
【００６２】
＜第２実施形態＞
次に、図９を参照しながら、第２の発明に係る照明装置の一実施形態であるフロントライト４００を説明する。図９は、フロントライト４００の概略構造を図式的に示した平面図である。尚、第４の発明に係る液晶装置は、上述の液晶装置１においてフロントライト２００の代わりにフロントライト４００を備えている点で液晶装置１と相違するため、詳細な構成についての説明を省略する。また、以下では、フロントライト２００の各部と共通する部分に共通の参照符号を付し、その詳細な説明を省略する。
【００６３】
フロントライト４００は、各々が本発明の「透明配線層」の一例である第１陽極配線及び２６１ａ及び第１陰極配線２６２ａと、各々が本発明の「低抵抗配線層」の一例である低抵抗配線２７１及び２７２とを備えている。
【００６４】
フロントライト４００では、上述のフロントライト２００における第２陽極配線２６１ｂ及び第２陰極配線２６２ｂを設けないで、低抵抗配線２７１及び２７２の夫々のみによって、陽極端子２６１Ｐ及び陰極端子２６２Ｐの夫々と、第１陽極配線２６１ａ及び第１陰極配線２６２ａとを電気的に相互に接続している。
【００６５】
フロントライト４００によれば、上述のフロントライト２００と同様に、光出射領域２２０ａの周辺領域において電圧降下を低減できるため、複数の有機ＥＬ素子２５０の夫々に供給される電流のばらつきを低減できる。よって、フロントライト４００によれば、光出射領域２２０ａから液晶パネル１００に一様な光強度で光を出射可能であり、フロントライト４００を光源として画像を表示する液晶装置の画像表示領域における輝度ばらつきを低減可能である。
【００６６】
＜電子機器＞
次に、図１０及び図１１を参照しながら、上述した液晶装置を具備してなる、本発明の第５の発明に係る電子機器の実施形態を説明する。
【００６７】
図１０は、上述した液晶装置が適用されたモバイル型のパーソナルコンピュータの斜視図である。図１０において、コンピュータ１２００は、キーボード１２０２を備えた本体部１２０４と、上述した液晶装置を含んでなる液晶表示ユニット１２０６とから構成されている。コンピュータ１２００は、上述の液晶装置を具備してなるので、輝度むらが低減された高品位の画像を表示可能である。
【００６８】
次に、上述した液晶装置を携帯電話に適用した例について説明する。図１１は、本実施形態の電子機器の一例である携帯電話の斜視図である。図１１において、携帯電話１３００は、複数の操作ボタン１３０２とともに、上述の各実施形態に係る液晶装置と同様の構成を有する液晶装置１００５を備えている。携帯電話１３００によれば、輝度むらが低減された高品位の画像表示が可能である。
【符号の説明】
【００６９】
１・・・液晶装置、９・・・反射電極、Ｐ・・・開口部、２００，４００・・・フロントライト、１００・・・液晶パネル、２６１・・・陽極配線、２６２・・・陰極配線、２６１Ｐ・・・陽極端子、２６２Ｐ・・・陰極端子、２７１，２７２・・・低抵抗配線
【図１】
2010238497.tif 000005
【図２】
2010238497.tif 000006
【図３】
2010238497.tif 000007
【図４】
2010238497.tif 000008
【図５】
2010238497.tif 000009
【図６】
2010238497.tif 000010
【図７】
2010238497.tif 000011
【図８】
2010238497.tif 000012
【図９】
2010238497.tif 000013
【図１０】
2010238497.tif 000014
【図１１】
2010238497.tif 000015